(57)【要約】【課題】簡素な構造で建物内外からの景観を損なわず高い剛性を得る。【解決手段】左右に複数並設した縦ケーブル材２の間に縦梁材５を設け、縦ケーブル材２および縦梁材５に固定した支持手段３で上下左右方向に複数並べた壁体１の隅部を支持したので、大きな壁面を施工しても縦梁材５が風に対する壁面の変形を抑えて縦ケーブル材２の反力を軽減し壁体１を支持する部材の断面積を小さくできる。また縦梁材５に横ケーブル材４を固定して縦梁材５の座屈止めをする。横ケーブル材４に支持手段３を固定して壁体１の支持力を向上する。縦梁材５の長手方向に沿ってリブ材７および角鋼材８を設けて縦梁材５の座屈止めをする。縦ケーブル材２、横ケーブル材４および縦梁材５を壁体１の継ぎ目部１ａに沿って配設してガラスとした壁体１の屋内側および屋外側からの景観を向上する。【選択図】        図１
2005054508.tif 000002
【特許請求の範囲】
【請求項１】
建物躯体側に上下端部を固定した複数の縦ケーブル材を並設し、建物躯体側に上下端部を固定した長手板状の縦梁材を前記縦ケーブル材の間に配設して、壁体を支持する支持手段を前記縦ケーブル材および前記縦梁材に固定し、前記建物躯体に両端を固定して前記縦梁材に交差して設けた横ケーブル材を前記縦梁材に固定したことを特徴とする壁体支持構造。
【請求項２】
前記横ケーブル材に前記支持手段を固定したことを特徴とする請求項１に記載の壁体支持構造。
【請求項３】
前記縦梁材の板面には当該縦梁材の長手方向に沿う態様でリブ材が設けてあり、また前記縦梁材の端縁には当該縦梁材の長手方向に沿う態様で角鋼材が設けてあることを特徴とする請求項１または２に記載の壁体支持構造。
【請求項４】
前記支持手段は矩形板状とした前記壁体の隅部を支持してあり、少なくとも前記縦ケーブル材および前記縦梁材は前記壁体の継ぎ目部に沿って配設してあることを特徴とする請求項１〜３のいずれか一つに記載の壁体支持構造。
【発明の詳細な説明】
【技術分野】
【０００１】
本発明は、建物における壁体支持構造に関し、特にフレームを用いずに高い剛性を有した壁体支持構造に関するものである。
【背景技術】
【０００２】
従来、建物の壁面を構成する複数の壁体を支持する構造として、建物躯体に対して壁面直交方向に移動不能にブラケットを支持し、壁体の上端縁および下端縁を保持する横長のフレームを前記ブラケットに設け、ブラケットと建物躯体との間を連結する連結支持手段によってブラケットを吊り上げ支持した構造がある。この構造では、上下に配置したブラケットの間に壁体の左右両端縁を保持する縦フレームがさらに備えられる（例えば、特許文献１参照）。
【０００３】
【特許文献１】特開２０００−１７７６２号公報
【発明の開示】
【発明が解決しようとする課題】
【０００４】
しかしながら、従来の構造では、壁体を支持する各フレームがブラケットを介して設けてあり、かつ、ブラケットが建物躯体を介して設けてある。すなわち、壁体を支持するために２重の支持構造を有しているので構造が複雑になるという問題がある。また、特に壁体がガラスである場合には、建物内外からの景観が損なわれるという問題があった。
【０００５】
なお、上記問題の改善として、ケーブルトラスおよびケーブルネットなどのケーブル材を使用したガラスファサード支持構造も知られているが、大きな壁面を施工した場合に風に対する壁面の変形が大きくなり、また、ケーブル材の反力を処理するために支持部材断面が大きくなるなどの問題がある。
【０００６】
本発明は、上記実情に鑑みて、簡素な構造で建物内外からの景観を損なわずして高い剛性を得て、また壁面の変形および壁体を支持する部材の断面積を小さくすることができる壁体支持構造を提供することを目的とする。
【課題を解決するための手段】
【０００７】
上記の目的を達成するために、本発明の請求項１に係る壁体支持構造は、建物躯体側に上下端部を固定した複数の縦ケーブル材を並設し、建物躯体側に上下端部を固定した長手板状の縦梁材を前記縦ケーブル材の間に配設して、壁体を支持する支持手段を前記縦ケーブル材および前記縦梁材に固定し、前記建物躯体に両端を固定して前記縦梁材に交差して設けた横ケーブル材を前記縦梁材に固定したことを特徴とする。
【０００８】
本発明の請求項２に係る壁体支持構造は、上記請求項１において、前記横ケーブル材に前記支持手段を固定したことを特徴とする。
【０００９】
本発明の請求項３に係る壁体支持構造は、上記請求項１または２において、前記縦梁材の板面には当該縦梁材の長手方向に沿う態様でリブ材が設けてあり、また前記縦梁材の端縁には当該縦梁材の長手方向に沿う態様で角鋼材が設けてあることを特徴とする。
【００１０】
本発明の請求項４に係る壁体支持構造は、上記請求項１〜３のいずれか一つにおいて、前記支持手段は矩形板状とした前記壁体の隅部を支持してあり、少なくとも前記縦ケーブル材および前記縦梁材は前記壁体の継ぎ目部に沿って配設してあることを特徴とする。
【発明の効果】
【００１１】
本発明の壁体支持構造よれば、複数並設した縦ケーブル材の間に縦梁材を配設し、縦ケーブル材および縦梁材に固定した支持手段で壁体を支持している。これにより、大きな壁面を施工した場合でも、縦梁材および横ケーブル材が風に対する壁面の変形を抑えて高い剛性が得られるので、縦ケーブル材の反力を軽減して、壁面の変形および壁体を支持する部材の断面積を小さくすることができる。また、横ケーブル材を縦梁材に固定してあるので、横ケーブルで縦梁材の座屈止めをすることができる。さらに、横ケーブル材に支持手段を固定したことにより、壁体の支持力を向上することができる。
【００１２】
また、縦梁材の長手方向に沿ってリブ材および角鋼材を設けたことにより、リブ材および角鋼材で縦梁材の座屈止めをすることができる。
【００１３】
また、支持手段が矩形板状とした壁体の隅部を支持し、少なくとも縦ケーブル材および縦梁材が壁体の継ぎ目部に沿って配設してあることにより、壁体をガラスとした場合に縦ケーブル材および縦梁材が壁体の屋外側から見て目立たないので景観を向上することができる。さらに、屋内側では、鋼索である縦ケーブル材および横ケーブル材と、長板状の縦梁材とが存在するだけなので屋内側での景観をも向上することができる。
【発明を実施するための最良の形態】
【００１４】
以下に添付図面を参照して、本発明に係る壁体支持構造の好適な実施例を詳細に説明する。なお、この実施例によりこの発明が限定されるものではない。
【実施例】
【００１５】
図１は本発明にかかる壁体支持構造の実施例を示す斜視図、図２は縦ケーブル材を示す側断面図、図３は第１支持部材を示す斜視図、図４は第１支持部材を示す平面図、図５は第１支持部材を示す側面図、図６は縦梁材を示す側断面図、図７は第２支持部材を示す斜視図、図８は第２支持部材を示す平面図、図９は第２支持部材を示す側面図である。
【００１６】
図１に示すように本実施例における壁体支持構造は、複数の壁体１を支持するものである。壁体１としては主にガラス板などがある。壁体１は、矩形板状に形成してあり、それぞれ同じ寸法にしてある。そして、本実施例の壁体支持構造は、略垂直に立てた壁体１の端縁を向き合わせて当該壁体１を上下左右方向に複数並べて支持して略垂直な壁面を構成する。また、各壁体１の向き合わせた端縁の間には、コーキング材（図示せず）で封止した継ぎ目部１ａとしてある。このような壁体１を支持するため本実施例の壁体支持構造は、縦ケーブル材２と、支持手段３と、横ケーブル材４と、縦梁材５とを備えている。
【００１７】
図２に示すように縦ケーブル材２は、鋼線を束ねてつくられた鋼索であり、建物躯体６側の鉄骨材などに上下端部を固定する形態で略垂直に張設してある。縦ケーブル材２は、支持すべき壁体１の屋内側の面に沿って所定間隔で左右方向に複数並設してある。図１に示すように縦ケーブル材２を張設する位置は、左右方向に並べた壁体１の間で上下方向に連通する継ぎ目部１ａに沿う位置である。また、縦ケーブル材２を並設する所定間隔は、例えば本実施例では上記継ぎ目部１ａの１つ置きごとの間隔である。
【００１８】
縦ケーブル材２には、支持手段３としての第１支持部材３Ａが固定してある。図３〜図５に示すように第１支持部材３Ａは、縦ケーブル材２に固定するための固定部３１と、壁体１を支持するための支持部３２とを有している。
【００１９】
固定部３１は、縦ケーブル材２を間に挟む１対のブロック３１ａ，３１ｂを有している。各ブロック３１ａ，３１ｂにおいて縦ケーブル材２を挟む対向側には、縦ケーブル材２の外径に嵌る凹溝３１ｃがそれぞれ形成してある。そして、各ブロック３１ａ，３１ｂは、ボルトなどの締付手段（図示せず）によって縦ケーブル材２を挟んだ形態で締め付けて当該縦ケーブル材２に固定される。
【００２０】
支持部３２は、壁体１の屋外側の面と屋内側の面とを挟む１対の板部材３２ａ，３２ｂを有している。各板部材３２ａ，３２ｂにおいて壁体１を挟む対向面のいずれか一方には、略水平な突片と略垂直な突片とで形成した十字形状の突起部３２ｃが形成してある。すなわち、各板部材３２ａ，３２ｂの対向面は、突起部３２ｃによって上下左右の４方向に分割してある。この分割した各板部材３２ａ，３２ｂの対向面の間には、矩形板状とした壁体１の隅部を挟んで支持する。各板部材３２ａ，３２ｂは、ボルトなどの締付手段（図示せず）によって４つの壁体１の向き合う隅部を挟んだ形態で締め付けて当該壁体１の隅部を支持する。なお、図には明示しないが、各板部材３２ａ，３２ｂと壁体１との間には、パッキン材が介在してあり、壁体１の屋外側から屋内側への雨水の浸入を防止し、さらに各板部材３２ａ，３２ｂの間での壁体１を挟む挟持力を得ている。なお、図には明示しないが、他の支持部として、壁体１の隅部に開けた皿穴に皿ボルトを通して、当該皿ボルトで各壁体１を連結支持する構成のものであってもよい。
【００２１】
また、上記固定部３１の壁体１側に向くブロック３１ａと、支持部３２の屋内側の板部材３２ａとは、互いに強固に連結してある。本実施例ではブロック３１ａと板部材３２ａとを一体に成形して連結してある。
【００２２】
ところで、上述した第１支持部材３Ａは、横ケーブル材４にも固定してある。横ケーブル材４は、鋼線を束ねてつくられた鋼索であり、図には明示しないが建物躯体６側に左右両端部を固定する形態で略水平に張設してある。横ケーブル材４は、支持すべき壁体１の屋内側の面に沿って所定間隔で上下方向に複数並設してある。図１に示すように横ケーブル材４を張設する位置は、上下方向に並べた壁体１の間で左右方向に連通する継ぎ目部１ａに沿う位置である。また、横ケーブル材４を並設する所定間隔は、例えば本実施例では上記継ぎ目部１ａごとの間隔である。
【００２３】
図３〜図５に示すように第１支持部材３Ａは、上記横ケーブル材４に固定するための固定部３３を有している。固定部３３は、横ケーブル材４を間に挟む１対のブロック３３ａ，３３ｂで構成してある。各ブロック３３ａ，３３ｂにおいて横ケーブル材４を挟む対向側には、横ケーブル材４の外径に嵌る凹溝３３ｃがそれぞれ形成してある。そして、各ブロック３３ａ，３３ｂは、ボルトなどの締付手段（図示せず）によって横ケーブル材４を挟んだ形態で締め付けて当該横ケーブル材４に固定される。なお、本実施例では、固定部３３のブロック３３ａと、上記固定部３１のブロック３１ｂとが同じ部材で形成してあり、その表裏で固定部３１および固定部３３を構成している。
【００２４】
図６に示すように縦梁材５は、鋼材を長手板状にしたものであり、建物躯体６側の鉄骨材などに上下端部を固定して両板面を左右方向に向ける形態で略垂直に設けてある。縦梁材５は、支持すべき壁体１の屋内側の面に沿って設けてある。図１に示すように縦梁材５を設ける位置は、左右方向に並べた壁体１の間で上下方向に連通する継ぎ目部１ａに沿う位置であって、上記縦ケーブル材２の間の位置である。すなわち、縦梁材５は、縦ケーブル材２と交互に配置してある。
【００２５】
図７〜図９に示すように縦梁材５は、リブ材７および角鋼材８を設けてある。リブ材７は、鋼材を長手板状にしたものであり、縦梁材５の左右両板面に対して略直立しつつ縦梁材５の長手方向に沿う態様で溶接などによって固定してある。角鋼材８は、鋼材を長手状にした角材であり、縦梁材５の屋内側に向く端縁に対して縦梁材５の長手方向に沿う態様で溶接などによって固定してある。
【００２６】
縦梁材５には、支持手段３としての第２支持部材３Ｂが固定してある。図７〜図９に示すように第２支持部材３Ｂは、縦梁材５に固定するための固定部３４と、壁体１を支持するための支持部３２とを有している。なお、支持部３２は、上記第１支持部材３Ａの支持部３２と同様の構成であるため同一符号を付してその説明を省略する。
【００２７】
固定部３４は、縦梁材５の両板面側を間に挟む１対のブロック３４ａ，３４ｂを有している。各ブロック３４ａ，３４ｂは、板状に形成してあり、壁体１とは相反する側に向く互いの端部の間にスペーサ３４ｃを介在して縦梁材５の板面にそれぞれ固定してある。この固定に際しては、図９に示すようにボルト３４ｄによる。なお、各ブロック３４ａ，３４ｂの屋内側に向く端部は、ボルト３４ｄを取り付けるために上下方向に固定片３４ｅを延在してある。
【００２８】
ところで、上述した第２支持部材３Ｂは、横ケーブル材４にも固定してある。図７〜図９に示すように第２支持部材３Ｂは、上記横ケーブル材４に固定するための固定部３３を有している。固定部３３は、上記第１支持部材３Ａの固定部３３と同様の構成であり、横ケーブル材４を間に挟む１対のブロック３３ａ，３３ｂで構成してある。各ブロック３３ａ，３３ｂにおいて横ケーブル材４を挟む対向側には、横ケーブル材４の外径に嵌る凹溝３３ｃがそれぞれ形成してある。そして、各ブロック３３ａ，３３ｂは、ボルトなどの締付手段（図示せず）によって横ケーブル材４を挟んだ形態で締め付けて当該横ケーブル材４に固定される。
【００２９】
また、上記固定部３３の壁体１側に向くブロック３３ａと、支持部３２の屋内側の板部材３２ａとは、互いに強固に連結してある。本実施例ではブロック３３ａと板部材３２ａとを一体に成形して連結してある。さらに、上記固定部３３の壁体１とは相反する側に向くブロック３３ｂと、上記固定部３４におけるブロック３４ａ，３４ｂの壁体１側に向く端部とは、互いに強固に連結してある。本実施例では、ブロック３３ｂとブロック３４ａ，３４ｂとが溶接などによって一体に連結してある。このブロック３３ｂとブロック３４ａ，３４ｂとの連結に際し、ブロック３４ａ，３４ｂの間には、スペーサ３４ｆが介在してあり、ブロック３４ａ，３４ｂの間隔を保持してある。
【００３０】
このように、本実施例における壁体支持構造では、左右方向に複数並設した縦ケーブル材２の間に縦梁材５を配設している。そして、縦ケーブル材２および縦梁材５に固定した支持手段３（３Ａ，３Ｂ）で上下左右方向に複数並べて端縁を向き合わせた壁体１の隅部を支持している。これにより、大きな壁面を施工した場合でも、縦梁材５が風に対する壁面の変形を抑え、縦ケーブル材の反力を軽減して、壁面の変形および壁体を支持する部材の断面積を小さくすることが可能になる。
【００３１】
また、縦梁材５には、横ケーブル材４が固定してある。これにより、横ケーブル材４が縦梁材５の座屈止めとして作用することになる。さらに、横ケーブル材４は、壁体１を支持する支持手段３（３Ａ，３Ｂ）を固定している。これにより、横ケーブル材４が壁体１の支持構造としても作用することになる。
【００３２】
また、縦梁材５には、その長手方向に沿ってリブ材７および角鋼材８が設けてある。これにより、リブ材７および角鋼材８が縦梁材５の座屈止めとしてさらに作用することになる。
【００３３】
また、支持手段３は、矩形状とした壁体１の隅部を支持してあり、縦ケーブル材２、横ケーブル材４および縦梁材５が壁体１の継ぎ目部１ａに沿って配設してある。これにより、縦ケーブル材２、横ケーブル材４および縦梁材５がガラスとした壁体１の屋外側から見て目立たないので景観を損なうことがない。さらに、屋内側では、鋼索である縦ケーブル材２および横ケーブル材４と、長板状の縦梁材５とが存在するだけなので、屋内側での景観も損なうことがない。
【産業上の利用可能性】
【００３４】
以上のように、本発明にかかる壁体支持構造は、フレームを用いずに高い剛性を有した壁体の支持に有用であり、特に、壁体をガラスにしたときの景観と剛性の向上に適している。
【図面の簡単な説明】
【００３５】
【図１】本発明にかかる壁体支持構造の実施例を示す斜視図である。
【図２】縦ケーブル材を示す側断面図である。
【図３】第１支持部材を示す斜視図である。
【図４】第１支持部材を示す平面図である。
【図５】第１支持部材を示す側面図である。
【図６】縦梁材を示す側断面図である。
【図７】第２支持部材を示す斜視図である。
【図８】第２支持部材を示す平面図である。
【図９】第２支持部材を示す側面図である。
【符号の説明】
【００３６】
１    壁体
１ａ    継ぎ目部
２    縦ケーブル材
３    支持手段
３Ａ    支持部材
３Ｂ    支持部材
４    横ケーブル材
５    縦梁材
６    建物躯体
７    リブ材
８    角鋼材
３１    固定部
３１ａ，３１ｂ    ブロック
３１ｃ    凹溝
３２    支持部
３２ａ，３２ｂ    板部材
３２ｃ    突起部
３３    固定部
３３ａ，３３ｂ    ブロック
３３ｃ    凹溝
３４    固定部
３４ａ，３４ｂ    ブロック
３４ｃ    スペーサ
３４ｄ    ボルト
３４ｅ    固定片
３４ｆ    スペーサ
【図１】
2005054508.tif 000003
【図２】
2005054508.tif 000004
【図３】
2005054508.tif 000005
【図４】
2005054508.tif 000006
【図５】
2005054508.tif 000007
【図６】
2005054508.tif 000008
【図７】
2005054508.tif 000009
【図８】
2005054508.tif 000010
【図９】
2005054508.tif 000011